(57)【要約】【課題】光ディスクの種別がダウンロードディスクである場合に、データ記録又は再生に失敗しても該データ以降のデータを継続して記録又は再生できるようにすること。【解決手段】ライトワンスタイプの光ディスク１にデータを記録再生する光ディスク装置１０において、光ディスクの種別を判定し、記録時及び再生時のエラー発生を検出して、信号処理回路５を制御するマイコン７を備える。マイコン７は、記録時又は再生時のエラー発生を検出した場合、当該光ディスクがダウンロードディスクである場合にはエラーが発生した欠陥箇所をスキップして、次の記録領域から次のデータの記録又は再生を継続するように制御する。【選択図】図３
2009076124.tif 000002
【特許請求の範囲】
【請求項１】
ライトワンスタイプの光ディスクにデータを記録再生する光ディスク装置において、
レーザ光を光ディスクに照射しデータを記録又は再生するピックアップと、
記録データを処理して上記ピックアップに供給するとともに、上記ピックアップからの再生信号を処理する信号処理回路と、
該光ディスクの種別を判定し、記録時及び再生時のエラー発生を検出して、上記信号処理回路を制御するマイコンとを備え、
該マイコンは、記録時のエラー発生を検出した場合、当該光ディスクがダウンロードディスクである場合にはエラーが発生した欠陥箇所をスキップして、次の記録領域から次のデータの記録を継続するように制御することを特徴とする光ディスク装置。
【請求項２】
請求項１に記載の光ディスク装置であって、
前記マイコンは、当該光ディスクがダウンロードディスクであるかどうかを、ディスクに形成されているプレピット情報又はリードイン領域のコントロールデータから判定することを特徴とする光ディスク装置。
【請求項３】
請求項１に記載の光ディスク装置であって、
前記マイコンは、記録時のエラー発生をディスクから検出されるアドレス情報が期待値と一致しない場合にエラー発生と判定することを特徴とする光ディスク装置。
【請求項４】
請求項１に記載の光ディスク装置であって、
前記マイコンは、さらに再生時のエラー訂正に失敗したとき、または、ディスクから検出されるアドレス情報が期待値と一致しないときエラー発生と判定し、当該光ディスクがダウンロードディスクである場合にはエラーが発生した欠陥箇所をスキップして、次の記録領域から次のデータの再生を継続するように制御することを特徴とする光ディスク装置。
【請求項５】
ライトワンスタイプの光ディスクにデータを記録する光ディスク記録方法において、
記録時のエラー発生を検出するステップと、
当該光ディスクの種別を判定するステップと、
記録時のエラー発生を検出した場合、当該光ディスクがダウンロードディスクである場合にはエラーが発生した欠陥箇所をスキップして、次の記録領域から次のデータの記録を継続するステップと、
を備えることを特徴とする光ディスク記録方法。
【請求項６】
請求項５に記載の光ディスク記録方法であって、
当該光ディスクがダウンロードディスクであるかどうかを、ディスクに形成されているプレピット情報又はリードイン領域のコントロールデータから判定することを特徴とする光ディスク記録方法。
【請求項７】
請求項５に記載の光ディスク記録方法であって、
当該光ディスクから検出されるアドレス情報が期待値と一致しない場合に、記録時のエラー発生と判定することを特徴とする光ディスク記録方法。
【請求項８】
ライトワンスタイプの光ディスクからデータを再生する光ディスク再生方法において、
再生時のエラー発生を検出するステップと、
当該光ディスクの種別を判定するステップと、
再生時のエラー発生を検出した場合、当該光ディスクがダウンロードディスクである場合にはエラーが発生した欠陥箇所をスキップして、次の記録領域から次のデータの再生を継続するステップと、
を備えることを特徴とする光ディスク再生方法。
【請求項９】
請求項８に記載の光ディスク再生方法であって、
当該光ディスクがダウンロードディスクであるかどうかを、ディスクに形成されているプレピット情報又はリードイン領域のコントロールデータから判定することを特徴とする光ディスク再生方法。
【請求項１０】
請求項８に記載の光ディスク再生方法であって、
当該再生データのエラー訂正に失敗したとき、または、ディスクから検出されるアドレス情報が期待値と一致しないとき、再生時のエラー発生と判定することを特徴とする光ディスク再生方法。
【発明の詳細な説明】
【技術分野】
【０００１】
本発明は、光ディスク媒体の種別に応じて、記録又は再生動作に失敗した場合に好適に処理する光ディスク装置、光ディスク記録方法及び再生方法に関する。
【背景技術】
【０００２】
記録可能な光ディスクにおいて、ディスクの記録面に欠陥部が存在した場合、サーボ制御ができなくなり記録動作は失敗となる。現状では、１回だけ記録可能なライトワンス（Ｗｒｉｔｅ  Ｏｎｃｅ）タイプであるＤＶＤ−Ｒなどのディスクにおいては、記録失敗時にリトライ処理を行わず、その時点で記録動作を中断する。このため、特別なリカバリ処理を行わなければ、記録に失敗した欠陥箇所より先の未記録で記録可能な領域を利用することができなかった。
【０００３】
これに対し、データ記録に失敗した時でも、データを記録媒体へ継続して記録するためのリカバリ技術がいくつか提案されている。
【０００４】
特許文献１には、記録エラーが発生した場合、新たなファイルとしてストリームデータの記録を続行し、その後、ファイル管理情報を修正する技術が開示される。その効果として、記録エラー発生から記録再開までの処理時間が短く、記録エラーによって失われるストリームデータを低減することが述べられている。
【０００５】
特許文献２には、複数の記録層を持つ光ディスクにおいて、記録の途中で記録の継続ができなくなった場合、光ディスク面上の記録の継続ができなくなった地点から内周方向でかつ異なった記録層に記録を継続する技術が開示される。その効果として、従来、光ディスクの外周部で記録エラーが発生した場合、無駄になっていた光ディスクの異なる記録層の内周部を無駄なく使用することができると述べられている。
【０００６】
特許文献３には、記録エラーが発生した場合、該記録エラーが生じたセクタのアドレスに基づく、該記録エラーが生じた欠陥領域を越えるセクタのアドレス情報を得て、光ピックアップを該アドレス情報に基づくセクタにシークさせて、該シーク位置から入力データの記録を行う技術が開示される。その効果として、ディフェクト部分を越えて記録動作を継続することができ、ディフェクトの部位がある光ディスクでも未記録部分を最小限に抑えることができると述べられている。
【０００７】
【特許文献１】特開２００７−１８６３１号公報
【特許文献２】特開２００６−２１６１２６号公報
【特許文献３】特開２００５−３３２４９４号公報
【発明の開示】
【発明が解決しようとする課題】
【０００８】
最近、インターネット等からダウンロード経由で供給される映像や音声のコンテンツを記録するための専用の光ディスク（以下、「ダウンロードディスク」と呼ぶ）が提案されている。
【０００９】
その一例として、「ＤＶＤダウンロードディスク（ＤＶＤ−Ｄｏｗｎｌｏａｄ  Ｄｉｓｃ）」がある。これは、ダウンロード経由で供給される所定のフォーマットのコンテンツ（ＣＳＳ  ｅｎｃｒｙｐｔｅｄ  ＤＶＤ−Ｖｉｄｅｏ  ｃｏｎｔｅｎｔｓ）を記録するための専用媒体で、ＤＶＤ−Ｒ規格（ＤＶＤ  Ｒｅｃｏｒｄａｂｌｅ  ｄｉｓｃ  ｆｏｒ  Ｇｅｎｅｒａｌ）に追加定義されるライトワンスディスクである。すなわちＤＶＤダウンロードディスクでは、ＣＳＳ方式（Ｃｏｎｔｅｎｔ  Ｓｃｒａｍｂｌｅ  Ｓｙｓｔｅｍ）を用いて暗号化されたＤＶＤビデオフォーマットのコンテンツを記録する用途（ＣＳＳ  Ｍａｎａｇｅｄ  Ｒｅｃｏｒｄｉｎｇ）に限定される。
【００１０】
ダウンロードディスクにおいても、記録失敗に対する処理方法を適切に定める必要がある。その方法として、上記特許文献１−３に開示されるように、記録エラー発生後のデータを継続して記録するリカバリ処理が考えられる。ここで、上記特許文献１−３では従来のライトワンスディスク（ＤＶＤ−Ｒ）の規格に従い、リカバリ処理工程には記録アドレスの変更などのファイル管理情報の書き換えが必須となる。一方新たなダウンロードディスクにおいては、ＤＶＤビデオフォーマットの制限を受け、ダウンロードしたコンテンツのファイル管理情報を変更することはできない。よって、ダウンロードディスクにおいては、上記特許文献１−３に開示されるようなリカバリ処理を採用することができない。
【００１１】
本発明の目的は、光ディスクの種別がダウンロードディスクである場合に、データ記録又は再生に失敗しても、該データ以降のデータを継続して記録又は再生できるようにすることである。
【課題を解決するための手段】
【００１２】
本発明は、ライトワンスタイプの光ディスクにデータを記録再生する光ディスク装置において、レーザ光を光ディスクに照射しデータを記録又は再生するピックアップと、記録データを処理して上記ピックアップに供給するとともに、上記ピックアップからの再生信号を処理する信号処理回路と、該光ディスクの種別を判定し、記録時及び再生時のエラー発生を検出して、上記信号処理回路を制御するマイコンとを備え、該マイコンは、記録時のエラー発生を検出した場合、当該光ディスクがダウンロードディスクである場合にはエラーが発生した欠陥箇所をスキップして、次の記録領域から次のデータの記録を継続するように制御する。
【００１３】
本発明は、ライトワンスタイプの光ディスクにデータを記録する光ディスク記録方法において、記録時のエラー発生を検出するステップと、当該光ディスクの種別を判定するステップと、記録時のエラー発生を検出した場合、当該光ディスクがダウンロードディスクである場合にはエラーが発生した欠陥箇所をスキップして、次の記録領域から次のデータの記録を継続するステップとを備える。
【００１４】
本発明は、ライトワンスタイプの光ディスクからデータを再生する光ディスク再生方法において、再生時のエラー発生を検出するステップと、当該光ディスクの種別を判定するステップと、再生時のエラー発生を検出した場合、当該光ディスクがダウンロードディスクである場合にはエラーが発生した欠陥箇所をスキップして、次の記録領域から次のデータの再生を継続するステップとを備える。
【発明の効果】
【００１５】
本発明によれば、記録失敗によるダウンロードディスクの無駄使いを抑えることができ、また、ダウンロードディスクからの再生時、コンテンツ（映像や音声）の再生中断を抑えることができるので、ユーザの使い勝手が向上する。
【発明を実施するための最良の形態】
【００１６】
図１は、本発明による光ディスク装置の一実施例を示すブロック図である。本実施例の光ディスク装置１０は、装着したダウンロード専用の光ディスク１（ＤＶＤダウンロードディスク）をスピンドルモータ２にて回転し、ピックアップ３は、半導体レーザで発生したレーザ光を光ディスク１の記録面に照射し、データを記録又は再生する。ピックアップ３は、図示しないスレッド機構により光ディスク上の所望のトラック位置に移動する。ドライバ４は、スピンドルモータ２やピックアップ３に駆動信号を供給する。
【００１７】
信号処理回路５は、光ディスク１から読み出した信号を処理して、ディスク管理情報を取得しこれに基づきデータを再生する。再生したデータは、メモリ６に一旦格納した後インタフェース８を介してＰＣ等のホスト装置９へ転送する。一方ホスト装置９からは、ＤＶＤビデオフォーマットのコンテンツやファイル管理情報（記録データ）がインタフェース８を介して転送される。転送された記録データはメモリ６に一旦格納した後、信号処理回路５にて所定の記録信号に変換する。ピックアップ３は光ディスク１に、コンテンツとともにファイル管理情報をそのまま記録する。
【００１８】
マイコン７は、光ディスク１から読み出したディスク管理情報やディスク固有の信号により、装着されているディスクの種別を判定する。また、ディスクから読み取ったアドレス情報などから記録又は再生エラーの発生を検出する。そして、記録／再生エラーが発生した場合は、そのディスクがＤＶＤダウンロードディスクである場合には、エラーが発生した欠陥箇所をスキップして、次の記録領域から次のデータの記録又は再生を継続するように制御する。
【００１９】
ここで、ＤＶＤダウンロードディスクについて説明する。ＤＶＤダウンロードディスクは、ＣＳＳを用いて暗号化されたＤＶＤビデオフォーマットのコンテンツをダウンロードして記録する用途に限定される。
【００２０】
未記録のＤＶＤダウンロードディスクでは、ディスクのランド部に予め形成（エンボス）されたプレピットをデコードして得られるプレピット情報の中に、ＤＶＤダウンロードディスクであることを示す所定のコードが含まれる。また、既記録ＤＶＤダウンロードディスクの場合には、ディスクのリードイン領域のコントロールデータの中に、ＤＶＤダウンロードディスクであることを示す所定の指標が含まれる。よって、これらの所定のデータを検出することで、ディスクの種別を判定することができる。その他にも、ウォブル周波数やディスクの反射率などのディスク固有の特性から、ＤＶＤダウンロードディスクであることを識別することもできる。
【００２１】
図２は、光ディスク上の記録パターンの一例を示す図である。（ａ）は通常記録における記録パターンを示す。トラック上の区分された領域２１，２２，２３，・・・に、所定の単位（ＥＣＣブロック単位）でデータＤ１，Ｄ２，Ｄ３，・・・の順に記録される。
【００２２】
（ｂ）は記録エラーの検出信号２９を示す。ここではデータＤ２を領域２２に記録中にエラーが発生したとする。記録エラーの原因は、ディスク上のキズ、指紋などの欠陥によることが多く、これによりトラッキングやフォーカス制御が外れ、データを正常に記録できないことになる。記録エラーの検出は、ディスクから検出されるアドレス情報を期待値と比較して、不一致の場合に記録エラー検出信号２９を発生する。あるいは、トラッキングエラー信号やフォーカスエラー信号のエンベロープを監視して、その振幅レベルが許容値を超えた場合に記録エラー検出信号２９を発生するようにしても良い。これらの検出法によれば、記録したデータを再生して検証するもの（ベリファイ動作）ではないので、記録しながら迅速にエラーを判定することができる。
【００２３】
（ｃ）はエラー発生時の記録パターンを示す。領域２２に記録時に記録エラーが発生した場合、欠陥領域である領域２２での記録を止め、それに続く隣の領域２３に次のデータＤ３から継続して記録する。もしもデータＤ３の記録にも失敗したら、さらに隣接する領域２４に次のデータＤ４から継続して記録する。
【００２４】
このように、記録エラーによりデータ（ここではＤ２）が欠落することになるが、その他の記録されたデータは本来記録されるべき領域（アドレス）に正しく記録される。また、アドレス情報を含む管理情報は変更することなく、ダウンロード時のままの状態で残すようにする。よって、記録された管理情報を参照して、記録されたデータを正しく再生し、コンテンツ（映像や音声）を支障なく視聴することができる。
【００２５】
図３は、本実施例における光ディスク記録方法を示すフローチャートである。以下、各ステップを順に説明する。
【００２６】
Ｓ３０１では、信号処理回路５はメモリ６から記録データ（ブロック単位）を受け取り、ピックアップ３をディスク上の所定の領域（アドレス）に進めてデータを記録する。Ｓ３０２では、マイコン７にて記録中のアドレス情報（又はトラッキングエラー信号）を監視して、記録エラーが発生したかどうかを判定する。記録が正常と判定したら、Ｓ３０３にて全データを記録完了したかどうかを判定する。残りのデータがあれば、Ｓ３０４にて次のデータの処理に進む。
【００２７】
Ｓ３０２で記録が失敗（エラー発生）と判定した場合は、Ｓ３０５にて、当該ディスクの種別を判定する。例えば、そのプレピット情報やコントロールデータを予め読み取っておくことで、ダウンロードディスクであるかどうかを判定することができる。ダウンロードディスクと判定した場合は現在のデータの記録を止め、Ｓ３０６に進み次のデータから処理を継続する。Ｓ３０５でダウンロードディスク以外（例えば従来のＤＶＤ−Ｒ）と判定した場合は、その時点で記録を中止し、終了する。
【００２８】
このように、記録対象コンテンツがＤＶＤビデオフォーマットに限定されるＤＶＤダウンロードディスクの場合、データ記録に失敗しても次のデータから記録動作を継続することにより、残りのディスクの記録領域を有効に使用することができる。
【００２９】
これまで、データ記録時に記録エラーが発生した場合の処理を説明したが、データ再生時に再生エラーが発生した場合にも同様に処理することができる。再生時のエラーは、記録時に発生したエラー（欠陥箇所）だけでなく、再生時に新たに発生したエラーも含まれる。ここに記録時のエラー箇所ではデータが欠落している。一方、再生時の新たなエラー箇所ではデータは正常に記録されているものの、その後に受けたディスクのキズなどにより正常に再生できない場合である。
【００３０】
図４は、本実施例における光ディスク再生方法を示すフローチャートである。以下、各ステップを順に説明する。
【００３１】
Ｓ４０１では、信号処理回路５はピックアップ３をディスク上の所定の領域（アドレス）に進めてデータ（ブロック単位）を再生する。Ｓ４０２では再生エラーが発生したかどうかを判定するが、これは、信号処理回路５にて再生データのエラー訂正が正常に実施できたかどうか、または再生中のアドレス情報が期待値と一致するかどうかを判定する。再生が正常と判定したら、再生データをメモリ６に格納し、Ｓ４０３にて全データを再生完了したかどうかを判定する。残りのデータがあれば、Ｓ４０４にて次のデータの処理に進む。
【００３２】
Ｓ４０２で再生が失敗（エラー発生）と判定した場合は、Ｓ４０５にて、当該ディスクの種別を判定する。例えば、そのプレピット情報やコントロールデータを予め読み取っておくことで、ダウンロードディスクであるかどうかを判定する。ダウンロードディスクと判定した場合は現在のデータの再生を止め、Ｓ４０６に進み次のデータから処理を継続する。
【００３３】
Ｓ４０５でダウンロードディスク以外（例えば従来のＤＶＤ−Ｒ）と判定した場合は、Ｓ４０７にて再生リトライを実行する。Ｓ４０８で再生リトライに成功したかどうかを判定する。成功した場合は、再生データをメモリ６に格納し、Ｓ４０６にて次のデータの処理に進む。再生リトライに失敗したら、再度リトライを実行する。その際、Ｓ４０９にてリトライ回数が規定値を超えているかどうか判定し、規定値を超えていれば再生処理を終了する（リトライオーバ）。
【００３４】
このように、ＤＶＤダウンロードディスクの場合はデータ再生に失敗してもこれに続くデータを継続して再生することにより、当該欠陥部分で一瞬映像や音声の乱れが生じる可能性はあるものの、コンテンツの再生中断を回避することができる。特に、ディスクに物理的な傷が多数付いてしまったような場合には有効な処理となる。
【００３５】
図５は、図４のフローチャートの変形例である。この例では、再生エラーが発生したらディスクの種別に係わらず、まず再生リトライを実行するようにした。
【００３６】
Ｓ５０１からＳ５０４までは、図４のＳ４０１からＳ４０４と同様である。Ｓ５０２で再生に失敗したと判定した場合は、Ｓ５０５にて再生リトライを実施する。Ｓ５０６で再生リトライに成功したかどうかを判定する。成功した場合は、再生データをメモリ６に格納し、Ｓ５０７にて次のデータの処理に進む。再生リトライに失敗したら、Ｓ５０８でリトライ回数が規定値を超えているかどうか判定し、規定値以内なら再度リトライを実行する。
【００３７】
リトライオーバとなったら、Ｓ５０９にて、当該ディスクの種別を判定する。ダウンロードディスクと判定した場合は現在のデータの再生を止め、Ｓ５０７に進み次のデータから処理を継続する。ダウンロードディスク以外と判定した場合は、再生処理を終了する。
【００３８】
図５においても、ＤＶＤダウンロードディスクの場合は、データ再生に失敗してもコンテンツの再生中断を回避することができる。この例では、再生リトライ処理によりデータが回復する可能性があるので、映像や音声の乱れを抑えることができる。
【００３９】
上記機能の実施／非実施を、ユーザが選択して設定することも可能である。すなわち、ユーザが一瞬の映像や音声の乱れを許容し得る場合には、例えばダウンロードディスクへの記録／再生開始前に、ホスト装置から光ディスク装置へ上記機能を有効にするためのコマンドを発行する。逆に、ユーザがコンテンツの厳密な記録／再生を要求する場合には、上記機能を無効にするコマンドを発行すればよい。
【００４０】
上記実施例では、記録媒体としてＤＶＤダウンロードディスクを例に説明したが、ＤＶＤビデオフォーマットの如きコンテンツをダウンロードするためのライトワンスタイプ専用ディスクであれば、本発明を同様に適用できる。さらに、記録するデータはインターネット等からダウンロード経由で供給されるコンテンツであれば、同様に効果があることは言うまでもない。
【図面の簡単な説明】
【００４１】
【図１】本発明による光ディスク装置の一実施例を示すブロック図。
【図２】光ディスク上の記録パターンの一例を示す図。
【図３】本実施例における光ディスク記録方法を示すフローチャート。
【図４】本実施例における光ディスク再生方法を示すフローチャート。
【図５】本実施例における光ディスク再生方法を示すフローチャートの他の例。
【符号の説明】
【００４２】
１…光ディスク、２…スピンドルモータ、３…ピックアップ、４…ドライバ、５…信号処理回路、６…メモリ、７…マイコン、９…ホスト装置、１０…光ディスク装置。
【図１】
2009076124.tif 000003
【図２】
2009076124.tif 000004
【図３】
2009076124.tif 000005
【図４】
2009076124.tif 000006
【図５】
2009076124.tif 000007